(57)【要約】【課題】  碗状フィルターを有し保形機能を備えるマスク本体と、しめ紐とを備え、マスクと顔面の密着が均一であり、装着時の耳への負担が無い、使い捨て防塵マスクを提供する。【解決手段】  碗状フィルターと前記フィルターの碗形状を保持する通気性の碗状の保形具とを有するマスク本体と、凸状曲面を形成するマスク本体の前面の略全体を覆うと共にマスク本体の両側部からマスク本体の後面側へ延びる伸縮性且つ通気性のしめ紐とを備え、しめ紐は前面視でマスク本体の中心線近傍でマスク本体に固定されている。【選択図】  図１
2018000602.tif 000002
【特許請求の範囲】
【請求項１】
碗状フィルターと前記フィルターの碗形状を保持する通気性の碗状の保形具とを有するマスク本体と、凸状曲面を形成するマスク本体の前面の略全体を覆うと共にマスク本体の両側部からマスク本体の後面側へ延びる伸縮性且つ通気性のしめ紐とを備え、しめ紐は前面視でマスク本体の中心線近傍でマスク本体に固定されていることを特徴とする使い捨て防塵マスク。
【請求項２】
保形具は碗状フィルターの凹状曲面を形成する後面側から碗状フィルターに内嵌合することを特徴とする、請求項１に記載の使い捨て防塵マスク。
【請求項３】
保形具は碗状フィルターの凸状曲面を形成する前面側から碗状フィルターに外嵌合することを特徴とする、請求項１に記載の使い捨て防塵マスク。
【請求項４】
保形具は碗状フィルターと一体形成されていることを特徴とする請求項１に記載の使い捨て防塵マスク。
【請求項５】
所定の剛性を有する素材で形成された碗状のフィルターから成る保形機能を有するマスク本体と、凸状曲面を形成するマスク本体の前面の略全体を覆うと共にマスク本体の両側部からマスク本体の後面側へ延びる伸縮性且つ通気性のしめ紐とを備え、しめ紐は前面視でマスク本体の中心線近傍でマスク本体に固定されていることを特徴とする使い捨て防塵マスク。
【請求項６】
しめ紐は連続した環状体であることを特徴とする、請求項１乃至５の何れか１項に記載の使い捨て防塵マスク。
【請求項７】
しめ紐はマスク本体の前面の略全体を覆う部分を長手方向中央部とする帯状体であり、帯の両端を脱着可能に連結する連結具を備えることを特徴とする、請求項１乃至５の何れか１項に記載の使い捨て防塵マスク。
【発明の詳細な説明】
【技術分野】
【０００１】
本発明は、使い捨て防塵マスクに関するものである。
【背景技術】
【０００２】
碗状フィルターと碗状フィルターの碗形状を保持する通気性の碗状の保形具とを有するマスク本体と、マスク本体両側部の上部と下部とをそれぞれ連結する上下２本のしめ紐とを備える使い捨て防塵マスクが特許文献１、２等に開示されている。
【先行技術文献】
【特許文献】
【０００３】
【特許文献１】特開２００３−３２００４１
【特許文献２】特開２００４−２４２９０５
【発明の概要】
【発明が解決しようとする課題】
【０００４】
特許文献１、２等の従来の使い捨て防塵マスクには、しめ紐の弾性力がマスク本体両側部のしめ紐固定部から保形具を介して顔面に伝達されるので、マスク本体と顔面との密着性がしめ紐固定部近傍部では高く他の部位では低くなり、マスク本体と顔面との密着が不均一になるという問題がある。また、細くて顔面との接触面積が小さな上下２本のしめ紐でマスク本体を顔面に固定するので、防塵マスク装着時のしめ紐のずり落ち、ひいてはマスク本体のずり落ちを防止するために、前記２本のしめ紐中の上側の１本を耳の基部上端に掛ける必要があり、耳に負担が掛かるという問題もある。
本発明は、上記問題に鑑みてなされたものであり、碗状フィルターを有し保形機能を備えるマスク本体と、しめ紐とを備え、マスクと顔面の密着が均一であり、装着時の耳への負担が無い、使い捨て防塵マスクを提供することを目的とする。
【課題を解決するための手段】
【０００５】
上記課題を解決するために、本発明においては、碗状フィルターと前記フィルターの碗形状を保持する通気性の碗状の保形具とを有するマスク本体と、凸状曲面を形成するマスク本体の前面の略全体を覆うと共にマスク本体の両側部からマスク本体の後面側へ延びる伸縮性且つ通気性のしめ紐とを備え、しめ紐は前面視でマスク本体の中心線近傍でマスク本体に固定されていることを特徴とする使い捨て防塵マスクを提供する。
しめ紐は前面視でマスク本体の中心線近傍でマスク本体に固定されているので、防塵マスクを顔面に装着すると、しめ紐のマスク本体の前面の略全体を覆う部分は、マスク本体の両側部方向へ引っ張られて伸び、マスク本体の前面に密着し、マスク本体によって支持される。マスク本体の前面の略全体に、当該略全体を覆うしめ紐から顔面正面方向の力とマスク本体中心線方向の力とが印加される。マスク本体中心線方向の力は相殺される。顔面正面方向の力は、保形具の周縁全体から均一に顔面に伝達される。この結果、マスク本体と顔面の密着が均一になる。しめ紐は、マスク本体の前面の略全体を覆うと共にマスク本体の後面側へ延びるので、防塵マスク装着時に顔面両側部や後頭部で延在する部分も幅広となり、顔面や後頭部との接触面積が大になる。従って、防塵マスク装着時にしめ紐がずり落ちる可能性が低減し、しめ紐を耳の基部上端に掛ける必要性が無くなる。この結果、防塵マスク装着時の耳への負担が無くなる。
本発明の好ましい態様においては、保形具は碗状フィルターの凹状曲面を形成する後面側から碗状フィルターに内嵌合する。
本発明の好ましい態様においては、保形具は碗状フィルターの凸状曲面を形成する前面側から碗状フィルターに外嵌合する。
本発明の好ましい態様においては、保形具は碗状フィルターと一体形成されている。
保形具は、碗状フィルターの凹状曲面を形成する後面側から碗状フィルターに内嵌合しても良く、碗状フィルターの凸状曲面を形成する前面側から碗状フィルターに外嵌合しても良く、或いは、碗状フィルターと一体形成されても良い。
本発明においては、所定の剛性を有する素材で形成された碗状のフィルターから成る保形機能を有するマスク本体と、凸状曲面を形成するマスク本体の前面の略全体を覆うと共にマスク本体の両側部からマスク本体の後面側へ延びる伸縮性且つ通気性のしめ紐とを備え、しめ紐は前面視でマスク本体の中心線近傍でマスク本体に固定されていることを特徴とする使い捨て防塵マスクを提供する。
碗状フィルターと碗状の保形具とを組み合わせてマスク本体に保形機能を持たせるのに代えて、所定の剛性を有する素材で形成した碗状フィルターでマスク本体を構成してマスク本体に保形機能を持たせても良い。保形具を省略することにより部材数が低減する。
本発明の好ましい態様においては、しめ紐は連続した環状体である。
本発明の好ましい態様においては、しめ紐はマスク本体の前面の略全体を覆う部分を長手方向中央部とする帯状体であり、防塵マスクは帯の両端を脱着可能に連結する連結具を備える。
しめ紐は、連続した環状体でも良く、或いはマスク本体の前面の略全体を覆う部分を長手方向中央部とする帯状体でも良い。後者の場合、帯の両端を脱着可能に連結する連結具を設ける必要がある。
【図面の簡単な説明】
【０００６】
【図１】本発明の実施例に係る使い捨て防塵マスクの斜視図である。（ａ）はマスク本体の後面側から見た斜視図であり、（ｂ）は顔面に装着した状態でのマスク本体の前面側から見た斜視図である。
【図２】本発明の実施例に係る使い捨て防塵マスクのマスク本体の構成を示す図である。（ａ）はマスク本体の後面側から見た斜視図であり、（ｂ）は碗状フィルターに形成される前の一対のフィルター片の正面図であり、（ｃ）は接顔部用布片の正面図であり、（ｄ）は保形具の斜視図である。
【発明を実施するための形態】
【０００７】
本発明の実施例に係る使い捨て防塵マスクを説明する。
図１に示すように、使い捨て防塵マスク１は、碗状フィルター２と、碗状フィルター２の凹状曲面を形成する後面側から碗状フィルター２に内嵌合して碗状フィルター２の碗形状を保持する骨組み構造の通気性の碗状の保形具３と、碗状フィルター２の周縁部に接合された環状布片から成る接顔部４と、を有するマスク本体５と、凸状曲面を形成するマスク本体５の前面である碗状フィルター２の前面の略全体を覆うと共にマスク本体５の両側部である碗状フィルター２の両側部からマスク本体５の後面側である碗状フィルター２の後面側へ延びるネット製の伸縮性且つ通気性のしめ紐６と、を備えている。しめ紐６は連続した環状体６’を形成している。しめ紐６は前面視でマスク本体５の上下に延在する中心線である碗状フィルター２の上下に延在する中心線Ｌ近傍で、且つ中心線Ｌの略全長に亙って連続的に、或いは複数の離散点や複数の離散線で、マスク本体５の一部である碗状フィルター２に固定されている。
図１（ｂ）に示すように、防塵マスク１の顔面への装着時には、しめ紐６の碗状フィルター２の両側部から碗状フィルター２の後面側へ延びる部分は、耳の下方で略水平に延在している。
防塵マスク１のマスク本体５は、特許文献１に開示された防塵マスクのしめ紐を除く部分と同一構造であり、以下の手順で製造される。  図２（ｂ）に示すように、左右対称の２枚のフィルター片２ａ、２ａを重ねセンター部２ａ’、２ａ’で溶着して碗状フィルター２を形成する。図２（ｃ）に示すように、ナイロン繊維又はポリエステル繊維製生地の片面にポリウレタン等の軟質樹脂シートを積層した生地を環状にカットして接顔部用布片４ａを形成し、先に形成した碗状フィルター２の周縁部と接顔部用布片４ａの外周とを接合して接顔部４を形成する。次に碗状フィルター２と接顔部４とが一体となったものを裏返し、骨組み構造の通気性の碗状の保形具３を接顔部４の中央開口を通して碗状フィルター２の後面側から碗状フィルター２に内嵌合させて碗状フィルター２の後面に当接させ、碗状フィルター２の碗形状を保持させる。  防塵マスク１を顔面に装着する際には、環状の伸縮性且つ通気性のしめ紐６を径方向外方へ押し広げ、下方から頭部を環状のしめ紐に通し、図１（ｂ）に示すように、しめ紐６の両側部を顔面下部両側部に沿って両耳の下方で略水平に延在させ、しめ紐６の後部を後頭部下部に沿って略水平に延在させる。しめ紐６から径方向外方への付勢力を解除すると、環状のしめ紐６が径方向に収縮して顔面下部両側部と後頭部下部とに密着し、防塵マスク１が顔面に装着される。
【０００８】
防塵マスク１においては、しめ紐６は前面視で碗状フィルター２の中心線Ｌ近傍で碗状フィルター２に固定されているので、防塵マスク１を顔面に装着すると、しめ紐６の碗状フィルター前面の略全体を覆う部分は、碗状フィルター２の両側部方向へ引っ張られて伸び、碗状フィルター２の前面に密着し、保形具３によって碗状に形状保持された碗状フィルター２によって支持される。保形具３によって碗状に形状保持された碗状フィルター２の前面の略全体に、当該略全体を覆うしめ紐６から顔面正面方向の力と中心線Ｌ方向の力とが印加される。中心線Ｌ方向の力は相殺される。顔面正面方向の力は、保形具３に伝達され、保形具３の周縁全体から均一に顔面に伝達される。この結果、防塵マスク１と顔面の密着が均一になる。
しめ紐６は、碗状フィルター２の前面の略全体を覆うと共に碗状フィルター２の両側部から碗状フィルター２の後面側へ延びるので、防塵マスク１の装着時に顔面両側部や後頭部に沿って延在する部分も幅広となり、顔面や後頭部との接触面積が大になる。従って、防塵マスク１の装着時にしめ紐６がずり落ちる可能性が低減し、しめ紐６を耳の基部上端に掛ける必要性が無くなる。この結果、防塵マスク１の装着時の耳への負担が無くなる。
しめ紐６は通気性を有するので、しめ紐６の碗状フィルター前面の略全体を覆う部分は、碗状フィルター２の機能を損なわない。
しめ紐６の素材は、上記実施例のようにネットでも良く、伸縮性且つ通気性の布でも良く、多数の小径孔が形成された膜でも良く、他の任意の伸縮性且つ通気性の素材でも良い
保形具３は、上記実施例のように骨組み構造体でも良く、編み目構造体でも良く、多孔板構造体でも良い。通気性があり且つ防塵マスク装着時に碗形状を維持できる剛性を有しておれば良い。
保形具３を、碗状フィルター２の凸状曲面を形成する前面側から碗状フィルター２に外嵌合させても良い。この場合、碗状フィルター２と保形具３とを着脱可能としておけば、保形具３としめ紐６とを繰り返し使用できる。保形具３を碗状フィルター２と一体形成しても良い。この場合、熱可塑性素材から成る保形具３を碗状フィルターに溶着しても良く、或いは加熱プレス加工等により碗状フィルター２を部分的に圧縮硬化させて保形具３を形成しても良い。
碗状フィルター２と碗状の保形具３とを組み合わせてマスク本体５に保形機能を持たせるのに代えて、所定の剛性を有する素材で形成した碗状フィルター２でマスク本体５を構成してマスク本体５に保形機能を持たせても良い。保形具３を省略でき、部材数が低減する。
しめ紐６は、前記実施例のように連続した環状体６’でも良く、或いは図１（ａ）に両端部を一点鎖線で示すように、碗状フィルター２の前面の略全体を覆う部分を長手方向中央部とする帯状体６”でも良い。後者の場合、帯の両端を脱着可能に連結する連結具６ａを設ける必要がある。
【産業上の利用可能性】
【０００９】
本発明は、保形具を備える使い捨て防塵マスクに広く利用可能である。
【符号の説明】
【００１０】
１  使い捨て防塵マスク
２  碗状フィルター
２ａ  フィルター片
２ａ’ センター部
４  接顔部
４ａ  接顔部用布片
５  マスク本体
６  しめ紐
６’環状体
６”帯状体
６ａ  連結具
Ｌ  碗状フィルターの上下に延在する中心線
【図１】
2018000602.tif 000003
【図２】
2018000602.tif 000004